【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
モバイルデバイスの運動状態を分類するための方法であって、
最高の確率値と第1のしきい値よりも大きい第1の信頼性レベルとに関連する第1の運動状態を決定するステップと、
前記第1の運動状態を入力するステップと、
前記第1の運動状態がアクティブである間、最高の確率値と前記第1のしきい値よりも大きい第2の信頼性レベルとに関連する第2の運動状態を決定するステップであって、前記第2の運動状態は前記第1の運動状態と異なる、ステップと、
前記第2の運動状態が入力されるべきかどうかを決定するステップと、
前記第2の運動状態が入力されるべきであると決定したことに応答して、前記第2の運動状態を入力するステップであって、1)前記第2の信頼性レベルが、前記第1のしきい値よりも大きい第2のしきい値よりも大きいか、または、2)前記第1の運動状態がアクティブである間、前記第2の運動状態が、所定の時間期間の間、連続的に、最高の確率値と前記第1のしきい値よりも大きいが前記第2のしきい値よりも小さい第2の信頼性レベルとに関連付けられるとき、前記第2の運動状態が入力されるべきである、ステップと
を含む、方法。
【請求項２】
前記第2の運動状態が入力されるべきであると決定したことに応答して、前記第2の運動状態が入力された後に前記第1の運動状態が持続すべきかどうかを決定するステップと、
前記第1の運動状態が持続すべきでないと決定したことに応答して、前記第2の運動状態が入力されたとき、前記第1の運動状態を退出するステップと、
前記第1の運動状態が持続すべきであると決定したことに応答して、1)前記第2の運動状態が入力された後に前記第1の運動状態が持続すべきである持続時間期間を決定し、2)前記第2の運動状態が入力された後に前記持続時間期間だけ前記第1の運動状態を退出することを遅延させるステップと
をさらに含む、請求項1に記載の方法。
【請求項３】
前記第1の運動状態は、前記モバイルデバイスを携帯するユーザがウォーキングまたはランニングしていることを前記第1の運動状態が示し、前記第2の運動状態が静止状態であるとき、持続すべきである、請求項2に記載の方法。
【請求項４】
前記第1の運動状態は、前記モバイルデバイスが動く自動車で、またはバイク走行しているユーザによって運ばれていることを前記第1の運動状態が示し、前記第2の運動状態が静止状態であるとき、持続すべきである、請求項2に記載の方法。
【請求項５】
前記持続時間期間は、前記第2の運動状態が、最高の確率値と前記第1のしきい値よりも大きい前記第2の信頼性レベルとに関連付けられるとき、前記第1の運動状態がアクティブであった時間期間に基づいて決定される、請求項2に記載の方法。
【請求項６】
前記第2の運動状態が、最高の確率値と前記第1のしきい値よりも大きい前記第2の信頼性レベルとに関連付けられる時刻を決定するステップと、
前記時刻を報告するステップと
をさらに含む、請求項1に記載の方法。
【請求項７】
最高の確率値に関連する運動状態に関連する信頼性レベルが、前記最高の確率値と、2番目に高い確率値に関連する運動状態に関連する確率値との間の差に基づいて決定される、請求項1に記載の方法。
【請求項８】
最高の確率値と前記第1のしきい値よりも小さい第3の信頼性レベルとに関連する第3の運動状態を決定したことに応答して、未知の運動状態を入力するステップ
をさらに含む、請求項1に記載の方法。
【請求項９】
前記第1および第2の運動状態の各々が、1)前記モバイルデバイスが静止している、2)前記モバイルデバイスを携帯するユーザがウォーキングしている、3)前記モバイルデバイスを携帯する前記ユーザがランニングしている、4)前記モバイルデバイスを携帯する前記ユーザがバイク走行している、または5)前記モバイルデバイスを携帯する前記ユーザが動く自動車で移動している
うちの1つを示す、請求項1に記載の方法。
【請求項１０】
最高の確率値と第1のしきい値よりも大きい第1の信頼性レベルとに関連する第1の運動状態を決定するための手段と、
前記第1の運動状態を入力するための手段と、
前記第1の運動状態がアクティブである間、最高の確率値と前記第1のしきい値よりも大きい第2の信頼性レベルとに関連する第2の運動状態を決定するための手段であって、前記第2の運動状態は前記第1の運動状態と異なる、手段と、
前記第2の運動状態が入力されるべきかどうかを決定するための手段と、
前記第2の運動状態が入力されるべきであると決定したことに応答して、前記第2の運動状態を入力するための手段であって、1)前記第2の信頼性レベルが、前記第1のしきい値よりも大きい第2のしきい値よりも大きいか、または、2)前記第1の運動状態がアクティブである間、前記第2の運動状態が、所定の時間期間の間、連続的に、最高の確率値と前記第1のしきい値よりも大きいが前記第2のしきい値よりも小さい第2の信頼性レベルとに関連付けられるとき、前記第2の運動状態が入力されるべきである、手段と
を含む、モバイルデバイス。
【請求項１１】
前記第2の運動状態が入力されるべきであると決定したことに応答して、前記第2の運動状態が入力された後に前記第1の運動状態が持続すべきかどうかを決定するための手段と、
前記第1の運動状態が持続すべきでないと決定したことに応答して、前記第2の運動状態が入力されたとき、前記第1の運動状態を退出するための手段と、
前記第1の運動状態が持続すべきであると決定したことに応答して、1)前記第2の運動状態が入力された後に前記第1の運動状態が持続すべきである持続時間期間を決定し、2)前記第2の運動状態が入力された後に前記持続時間期間だけ前記第1の運動状態を退出することを遅延させるための手段と
をさらに含む、請求項10に記載のモバイルデバイス。
【請求項１２】
前記第1の運動状態は、前記モバイルデバイスを携帯するユーザがウォーキングまたはランニングしていることを前記第1の運動状態が示し、前記第2の運動状態が静止状態であるとき、持続すべきである、請求項11に記載のモバイルデバイス。
【請求項１３】
前記第1の運動状態は、前記モバイルデバイスが動く自動車で、またはバイク走行しているユーザによって運ばれていることを前記第1の運動状態が示し、前記第2の運動状態が静止状態であるとき、持続すべきである、請求項11に記載のモバイルデバイス。
【請求項１４】
モバイルデバイスのプロセッサによって実行されたとき、
最高の確率値と第1のしきい値よりも大きい第1の信頼性レベルとに関連する第1の運動状態を決定することと、
前記第1の運動状態を入力することと、
前記第1の運動状態がアクティブである間、最高の確率値と前記第1のしきい値よりも大きい第2の信頼性レベルとに関連する第2の運動状態を決定することであって、前記第2の運動状態は前記第1の運動状態と異なる、ことと、
前記第2の運動状態が入力されるべきかどうかを決定することと、
前記第2の運動状態が入力されるべきであると決定したことに応答して、前記第2の運動状態を入力することであって、1)前記第2の信頼性レベルが、前記第1のしきい値よりも大きい第2のしきい値よりも大きいか、または、2)前記第1の運動状態がアクティブである間、前記第2の運動状態が、所定の時間期間の間、連続的に、最高の確率値と前記第1のしきい値よりも大きいが前記第2のしきい値よりも小さい第2の信頼性レベルとに関連付けられるとき、前記第2の運動状態が入力されるべきである、ことと
を含む、機能を前記プロセッサに実行させる、コードを含むコンピュータ可読記憶媒体。
【請求項１５】
前記第2の運動状態が入力されるべきであると決定したことに応答して、前記第2の運動状態が入力された後に前記第1の運動状態が持続すべきかどうかを決定することと、
前記第1の運動状態が持続すべきでないと決定したことに応答して、前記第2の運動状態が入力されたとき、前記第1の運動状態を退出することと、
前記第1の運動状態が持続すべきであると決定したことに応答して、1)前記第2の運動状態が入力された後に前記第1の運動状態が持続すべきである持続時間期間を決定し、2)前記第2の運動状態が入力された後に前記持続時間期間だけ前記第1の運動状態を退出することを遅延させることと
を行うためのコードをさらに含む、請求項14に記載のコンピュータ可読記憶媒体。